(57)【要約】【課題】セグメント表示におけるコード表示に対応する内容が、より容易に把握できるようにする。【解決手段】撮像部１０１は、読み取り対象に表示されるセグメント表示によるコードを撮像する。読み取り対象は、例えば、調節計１２１であり、調節計１２１の第１表示部１２２に表示されるセグメント表示によるコードが、撮像部１０１により撮像される。取得部１０２は、撮像部１０１が撮像したコードに対応する情報を取得する。表示制御部１０３は、取得部１０２で取得された情報を表示部１０４に表示する。【選択図】  図１
2019132750.tif 000002
【特許請求の範囲】
【請求項１】
読み取り対象に表示されるセグメント表示によるコードを撮像するように構成された撮像部と、
前記撮像部が撮像した前記コードに対応する情報を取得するように構成された取得部と、
前記取得部で取得された情報を表示部に表示するように構成された表示制御部と
を備えることを特徴とする表示装置。
【請求項２】
請求項１記載の表示装置において、
前記コードに対応する情報を記憶する記憶部を備え、
前記取得部は、前記記憶部より前記コードに対応する情報を取得する
ことを特徴とする表示装置。
【請求項３】
請求項１記載の表示装置において、
前記コードに対応する情報を備えるように構成されたサーバと、
ネットワークを介して前記サーバに接続するように構成された接続部と
を備え、
前記取得部は、前記接続部が前記ネットワークを介して接続している前記サーバより前記コードに対応する情報を取得する
ことを特徴とする表示装置。
【請求項４】
請求項１〜３のいずれか１項に記載の表示装置において、
前記撮像部がセグメント表示による前記コードを撮像した画像を、数字、記号を含む文字列に変換するように構成された変換部を更に備え、
前記取得部は、前記変換部で文字列に変換された前記コードに対応する情報を取得する
ことを特徴とする表示装置。
【請求項５】
請求項１〜４のいずれか１項に記載された表示装置と、
セグメント表示による表示部を備える機器と
を備え、
前記表示装置の前記撮像部は、前記表示部に表示されるセグメント表示による前記コードを撮像する
ことを特徴とする表示システム。
【請求項６】
読み取り対象に表示されるセグメント表示による数字を設定されている時間毎に撮像するように構成された撮像部と、
前記時間毎に前記撮像部で撮像された前記数字による数値を用いて前記数値の時系列の変化を示すグラフを生成するように構成されたグラフ生成部と、
前記グラフ生成部が生成したグラフを表示部に表示するように構成された表示制御部と
を備えることを特徴とする表示装置。
【請求項７】
請求項６記載の表示装置において、
前記グラフ生成部は、前記撮像部が設定されているセグメント表示による第１コードを撮像するまで撮像した前記数字による前記数値を用いて前記グラフを生成する
ことを特徴とする表示装置。
【請求項８】
請求項７記載の表示装置において、
前記グラフ生成部は、前記撮像部が設定されているセグメント表示による第２コードを撮像した後で撮像した前記数字による前記数値を用いて前記グラフを生成する
ことを特徴とする表示装置。
【請求項９】
請求項６〜８記載のいずれか１項に記載の表示装置において、
前記撮像部がセグメント表示による前記数字を撮像した画像を、前記数字による前記数値に変換するように構成された変換部を更に備え、
前記グラフ生成部は、前記変換部で変換された前記数値を用いて前記グラフを生成する
ことを特徴とする表示装置。
【請求項１０】
請求項６〜９のいずれか１項に記載された表示装置と、
セグメント表示による表示部、および記憶されている数値の数字を設定されている時間毎に前記表示部に表示するように構成された数値表示制御部を備える機器と
を備え、
前記表示装置の前記撮像部は、前記表示部に表示されるセグメント表示による前記数字を撮像する
ことを特徴とする表示システム。
【発明の詳細な説明】
【技術分野】
【０００１】
本発明は、表示装置および表示システムに関し、特に、セグメント表示により表示されたコードに対応する情報を表示する表示装置および表示システムに関する。
【背景技術】
【０００２】
例えば、建築物に付帯している各設備の監視制御や、プラントなどの制御は、中央監視室に設置された管理装置により実施されている（特許文献１参照）。このような管理システムにおいては、ネットワークにより接続している現場に設置されたプロセス機器や各種センサや調節計などのフィールド機器との間で信号をやりとりし、フィールド機器の動作を監視・制御し、フィールド機器の動作確認などの診断結果を表示し、また、パラメータ設定などを行っている。
【０００３】
このような制御システムにおいて、現場に配置される測定器や調節計などの機器（フィールド機器）は、省電力、小型化などの要求のため、表示する領域を大きくすることができない。例えば、各種温度環境などの温度を調節する温度調節計は、熱電対や測温抵抗体などの温度センサを用いて検出された監視対象の温度を数値表示する。検出されて表示される温度（ＰＶ値）と設定温度（ＳＰ値）は、加熱・冷却装置に対する制御出力（ＭＶ値）を求めるために用いられ、求められた制御出力により監視対象の温度を制御する。このような調節計においては、上述したように表示領域を大きくすることができないため、一般には、セグメント表示が用いられている（特許文献１参照）。
【先行技術文献】
【特許文献】
【０００４】
【特許文献１】特許第４９７９４９９号公報
【発明の概要】
【発明が解決しようとする課題】
【０００５】
上述したような調節計などにおけるセグメント表示では、表示の制限から、多くの情報を表示することができない。このため、様々な診断情報や異常情報を、コードとして表示部に表示している。ユーザは、このようなコードを、コード対応表を用い、コードに対応する内容を確認している。
【０００６】
このため、従来、調節計が出力している情報の内容を知るためには、コード対応表などを確認することになる。出力される情報が多数ある場合、これに適用させて多くのコードが用いられることになり、コード対応表も膨大なものになる。このような膨大なコード対応表を、現場まで持参することは容易ではない。また、膨大なコード対応表の中より、表示されているコードを探し出すことも容易ではない。
【０００７】
上述したように、表示領域に制限がある場合に用いられるセグメント表示におけるコード表示では、対応する内容を把握することが容易ではないという問題があった。
【０００８】
本発明は、以上のような問題点を解消するためになされたものであり、セグメント表示におけるコード表示に対応する内容が、より容易に把握できるようにすることを目的とする。
【課題を解決するための手段】
【０００９】
本発明に係る表示装置は、読み取り対象に表示されるセグメント表示によるコードを撮像するように構成された撮像部と、撮像部が撮像したコードに対応する情報を取得するように構成された取得部と、取得部で取得された情報を表示部に表示するように構成された表示制御部とを備える。
【００１０】
上記表示装置において、コードに対応する情報を記憶する記憶部を備え、取得部は、記憶部よりコードに対応する情報を取得する。また、コードに対応する情報を備えるように構成されたサーバと、ネットワークを介してサーバに接続するように構成された接続部とを備え、取得部は、接続部がネットワークを介して接続しているサーバよりコードに対応する情報を取得するようにしてもよい。
【００１１】
上記表示装置において、撮像部がセグメント表示によるコードを撮像した画像を、数字、記号を含む文字列に変換するように構成された変換部を更に備え、取得部は、変換部で文字列に変換されたコードに対応する情報を取得する。
【００１２】
本発明に係る表示システムは、上記表示装置と、セグメント表示による表示部を備える機器とを備え、表示装置の撮像部は、表示部に表示されるセグメント表示によるコードを撮像する。
【００１３】
また、本発明に係る表示装置は、読み取り対象に表示されるセグメント表示による数字を設定されている時間毎に撮像するように構成された撮像部と、時間毎に撮像部で撮像された数字による数値を用いて数値の時系列の変化を示すグラフを生成するように構成されたグラフ生成部と、グラフ生成部が生成したグラフを表示部に表示するように構成された表示制御部とを備える。
【００１４】
上記表示装置において、グラフ生成部は、撮像部が設定されているセグメント表示による第１コードを撮像するまで撮像した数字による数値を用いてグラフを生成する。
【００１５】
上記表示装置において、グラフ生成部は、撮像部が設定されているセグメント表示による第２コードを撮像した後で撮像した数字による数値を用いてグラフを生成するようにしてもよい。
【００１６】
上記表示装置において、撮像部がセグメント表示による数字を撮像した画像を、数字による数値に変換するように構成された変換部を更に備え、グラフ生成部は、変換部で変換された数値を用いてグラフを生成する。
【００１７】
また、本発明に係る表示システムは、上記表示装置と、セグメント表示による表示部、および記憶されている数値の数字を設定されている時間毎に表示部に表示するように構成された数値表示制御部を備える機器とを備え、表示装置の撮像部は、表示部に表示されるセグメント表示による数字を撮像する。
【発明の効果】
【００１８】
以上説明したように、本発明によれば、読み取り対象に表示されるセグメント表示によるコードや数値を撮像部で撮像し、撮像部が撮像したコードや数値を用いるようにしたので、セグメント表示に対応する内容が、より容易に把握できるという優れた効果が得られる。
【図面の簡単な説明】
【００１９】
【図１】図１は、本発明の実施の形態１における表示システムの構成を示す構成図である。
【図２】図２は、本発明の実施の形態１における表示システムの一部構成を示す構成図である。
【図３】図３は、本発明の実施の形態２における表示システムの構成を示す構成図である。
【図４】図４は、本発明に係る表示装置のハードウエア構成を示す構成図である。
【発明を実施するための形態】
【００２０】
以下、本発明の実施の形態おける表示装置および表示システムについて説明する。
【００２１】
［実施の形態１］
図１は、本発明の実施の形態における表示システムの構成を示す構成図である。この表示システムは、表示装置１００と調節計（機器）１２１とを備える。
【００２２】
表示装置１００は、撮像部１０１，取得部１０２，表示制御部１０３，表示部１０４を備える。
【００２３】
撮像部１０１は、読み取り対象に表示されるセグメント表示によるコードを撮像する。読み取り対象は、例えば、調節計１２１であり、調節計１２１の第１表示部１２２に表示されるセグメント表示によるコードが、撮像部１０１により撮像される。撮像部１０１は、例えば、光学系、撮像素子、画像処理部などから構成され、光学系を通して撮像素子で撮影したアナログの画像データを画像処理部でデジタルの画像データに変換して出力する。
【００２４】
ここで、調節計１２１について説明する。調節計１２１は、表示操作面１３０に、第１表示部１２２，第２表示部１２３を備える。第１表示部１２２は、制御対象において測定された測定値、検出された異常などのイベントに対応するコードなどをセグメント表示により表示する。第２表示部１２３は、正常範囲を示す設定値をセグメント表示により表示する。
【００２５】
セグメント表示は、例えば、４つの縦長の部分（領域）、および３つの横長の部分（領域）を、点灯または消灯とすることで、数字、アルファベット、記号を表す。この例は、一般に、７セグメント表示と呼ばれている。７セグメント表示において、例えば、全ての部分（領域）を点灯すれば、数字の「８」が示されたものとすることができる。また、７セグメント表示において、中央の横長の部分（領域）を消灯とし、他の６個の部分（領域）を点灯すれば、数字の「０」が示されたものとすることができる。第１表示部１２２は、これらの数字表示により、コードを表示する。
【００２６】
また、第１表示部１２２は、図２に示すような、記号によるコードを表示する場合もある。例えば、（ａ）に示すような、各桁の最下部のセグメントを点灯させた記号表示、（ｂ）に示すような、各桁の最上部のセグメントを点灯させた記号表示、（ｃ）示すような、各桁の中央部のセグメントを点灯させた記号表示、図７の（ｄ）示すような、各桁の左および右の部分のセグメントを点灯させた記号表示などがある。第２表示部１２３も同様である。
【００２７】
第１表示部１２２，第２表示部１２３は、上述したような７セグメント表示により、例えば４桁の数値や記号などの文字列で表示する。セグメント表示を実現する装置としては、例えば、７個のＬＥＤ（light emitting diode）によるセグメントディスプレイがある。また、ドットマトリックスによる液晶ディスプレイによるセグメント表示でもよい。
【００２８】
調節計１２１などのフィールド機器は、省電力、小型化などの要求のため、表示部分は、可能な範囲でより小さな面積とし、簡便な表示形態とすることが一般的である。このような要求に対応するため、調節計１２１などのフィールド機器における表示部は、上述したセグメント表示とされている。
【００２９】
なお、調節計１２１は、表示操作面１３０に、モード切り替えボタン１２４，表示切り替えボタン１２５，パラメータ設定ボタン１２６，確定ボタン１２７，カーソルボタン１２８なども備えている。
【００３０】
取得部１０２は、撮像部１０１が撮像したコードに対応する情報を取得する。例えば、表示装置１００は、コードに対応する情報を記憶する記憶部１０５を備える。記憶部１０５には、コードに対応する情報が、コードに対応づけられて記憶されている。例えば、コードの文字列の各文字の文字コードの組み合わせに対応づけられて、コードに対応する情報が記憶されている。この情報は、異常に関する情報、異常の原因に関する情報、異常に対する対処に関する情報などである。
【００３１】
取得部１０２は、記憶部１０５よりコードに対応する情報を取得する。また、表示装置１００は、所定のネットワークに接続する接続部（不図示）を備え、接続部で接続するネットワークに接続しているサーバ（不図示）にコードに対応する情報を備え、取得部１０２は、このサーバよりコードに対応する情報を取得するようにしてもよい。表示制御部１０３は、取得部１０２で取得された情報を表示部１０４に表示する。
【００３２】
ここで、実施の形態１における表示装置１００は、上述した構成に加え、変換部１０６を備える。変換部１０６は、撮像部１０１がセグメント表示によるコードを撮像した画像を、数字、記号を含む文字（各文字の文字コード）列に変換する。例えば、撮像された画像データは記憶部１０５に一時的に記憶され、変換部１０６は、記憶部１０５に記憶されている画像データを変換する。取得部１０２は、変換部１０６で文字列に変換されたコードに対応する情報を取得する。
【００３３】
例えば、調節計１２１の第１表示部１２２に表示された「ＡＬ０１」が撮像部１０１で撮像されると、変換部１０６は、得られた「ＡＬ０１」の画像データを、数字、記号を含む文字列「ＡＬ０１」に変換する。取得部１０２は、変換部１０６で変換された文字列「ＡＬ０１」に対応する情報として、「異常名称：ＰＶ値異常（オーバレンジ）」，「原因：センサ断線、誤配線」，「処置：配線の確認」などを取得する。このようにして取得部１０２で取得された情報は、表示制御部１０３の制御により、表示部１０４に表示され、ユーザに視認可能な状態となる。
【００３４】
調節計１２１の第１表示部１２２に表示された「ＡＬ０１」を見ただけでは、ユーザは発生している内容を把握することはできない。これに対し、表示装置１００の表示部１０４には、「ＡＬ０１」に対応する内容である「異常名称：ＰＶ値異常（オーバレンジ）」，「原因：センサ断線、誤配線」，「処置：配線の確認」が表示される。この表示を見たユーザは、調節計１２１で制御している制御対象の状態を示す計測値が、設定されている範囲を超えており、この状態が発生した原因、この異常に対する処置例などを直ちに知ることが可能となり、迅速な対応ができるようになる。
【００３５】
［実施の形態２］
次に、本発明の実施の形態２における表示システムについて、図３を参照して説明する。この表示システムは、表示装置２００と調節計（機器）２２１とを備える。
【００３６】
表示装置２００は、撮像部２０１，グラフ生成部２０２，表示制御部２０３，表示部２０４，記憶部２０５を備える。
【００３７】
撮像部２０１は、読み取り対象に表示されるセグメント表示による数字を設定されている時間毎に撮像する。設定されている時間の情報は、例えば、記憶部２０５に記憶されている。読み取り対象は、例えば、調節計２２１であり、調節計２２１の第１表示部２２２に表示されるセグメント表示により、上述した時間毎に表示される数字が、撮像部２０１により撮像される。撮像部２０１は、例えば、光学系、撮像素子、画像処理部などから構成され、光学系を通して撮像素子で撮影したアナログの画像データを画像処理部でデジタルの画像データに変換して出力する。
【００３８】
調節計２２１は、前述した実施の形態１の調節計１２１と同様であり、表示操作面２３０に、セグメント表示による表示を行う第１表示部２２２，第２表示部２２３を備える。また、調節計２２１は、表示操作面２３０に、モード切り替えボタン２２４，表示切り替えボタン２２５，パラメータ設定ボタン２２６，確定ボタン２２７，カーソルボタン２２８なども備えている。
【００３９】
上述した構成に加え、実施の形態２における調節計２２１は、数値表示制御部２４１および記憶部２４２を備える。数値表示制御部２４１は、記憶部２４２に記憶されている数値の数字を、設定されている時間毎に第１表示部２２２に表示する。設定されている時間は、上述した撮像部２０１の撮像間隔と等しい時間とされている。
【００４０】
ここで、調節計２２１は、例えば、所定のネットワークに接続する接続部（不図示）を備え、接続部で接続するネットワークを介し、センサ（不図示）により時系列に測定された監視対象の測定値を取得している。このように取得された時系列に測定された測定値が、記憶部２４２に記憶されている。このように記憶部２４２に記憶されている時系列の測定値が、数値表示制御部２４１により、設定されている時間毎に第１表示部２２２に表示される。このように、所定の時間間隔で表示される時系列の測定値が、撮像部２０１により撮像される。
【００４１】
グラフ生成部２０２は、上述したように、設定されている時間毎に撮像部２０１で撮像された数字による複数の数値を用い、これら複数の数値の時系列の変化を示すグラフを生成する。また、実施の形態２における表示装置２００は、上述した構成に加え、変換部２０６を備える。変換部２０６は、撮像部２０１がセグメント表示による数字を撮像した画像を、数値に変換する。例えば、撮像された画像データは記憶部２０５に一時的に記憶され、変換部２０６は、記憶部２０５に記憶されている画像データを変換する。グラフ生成部２０２は、変換部２０６で変換されて出力された数値よりグラフを生成する。
【００４２】
表示制御部２０３は、グラフ生成部２０２が生成したグラフを表示部２０４に表示する。例えば、調節計２２１が収集している制御対象の温度変化を示すグラフが、表示部２０４に表示される。
【００４３】
調節計２２１などのフィールド機器は、省電力、小型化などの要求のため、表示部分は、可能な範囲でより小さな面積とし、簡便な表示形態とすることが一般的である。このような要求に対応するため、調節計２２１などのフィールド機器における表示部は、上述したセグメント表示とされている。このため、調節計２２１では、取得している時系列の測定値などの変化を示すグラフを表示させることが不可能である。
【００４４】
これに対し、実施の形態２によれば、無線のネットワークなどの新たな通信機能を追加することなく、調節計２２１で取得している時系列の測定値などの変化を示すグラフを、ユーザに視認可能な状態で表示させることができる。
【００４５】
ところで、グラフとする対象の数字（数値）の表示を特定するために、例えば、数値表示の終了を示す第１コードを用いるようにしてもよい。例えば、グラフ生成部２０２は、撮像部２０１が設定されているセグメント表示による第１コードを撮像するまで撮像した数字による複数の数値を用いてグラフを生成する。例えば、第１表示部２２２に第１コードが表示され、これが撮像部２０１により撮像されると、グラフ生成部２０２は、第１コードが表示される直前までに取得した数値でグラフを生成する。
【００４６】
また、例えば、数値表示の開始を示す第２コードを用いるようにしてもよい。グラフ生成部２０２は、撮像部２０１が設定されているセグメント表示による第２コードを撮像した後で撮像した数字による複数の数値を用いてグラフを生成する。例えば、第１表示部２２２に第２コードが表示され、これが撮像部２０１により撮像されると、グラフ生成部２０２は、第２コードが表示された直後より取得した数値でグラフを生成する。
【００４７】
なお、上述した実施の形態における表示装置は、図４に示すように、ＣＰＵ（Central Processing Unit；中央演算処理装置）３０１と主記憶装置３０２と、外部記憶装置３０３とネットワーク接続装置３０４となどを備えた携帯型のコンピュータ機器であり、主記憶装置３０２に展開されたプログラムによりＣＰＵ３０１が動作することで、上述した各機能が実現される。ネットワーク接続装置３０４は、ネットワーク３０５に接続する。
【００４８】
以上に説明したように、本発明によれば、読み取り対象に表示されるセグメント表示によるコードや数値を撮像部で撮像し、撮像部が撮像したコードや数値を用いるようにしたので、セグメント表示に対応する内容が、より容易に把握できるようになる。
【００４９】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００５０】
１００…表示装置、１０１…撮像部、１０２…取得部、１０３…表示制御部、１０４…表示部、１０５…記憶部、１０６…変換部、１２１…調節計（機器）、１２２…第１表示部、１２３…第２表示部、１２４…モード切り替えボタン、１２５…表示切り替えボタン、１２６…パラメータ設定ボタン、１２７…確定ボタン、１２８…カーソルボタン。
【図１】
2019132750.tif 000003
【図２】
2019132750.tif 000004
【図３】
2019132750.tif 000005
【図４】
2019132750.tif 000006